(57)【要約】【課題】電気的に接続された状態で複数連結した場合に電源ラインの電源端子に対する誤接続を防止できる端子台を提供すること。【解決手段】電気的に接続された状態で複数連結可能な端子台が、第１壁部および第２壁部を有するハウジングと、ハウジングの内部で第２壁部に沿って配置された入力側電源端子および出力側電源端子とを備える。ハウジングが、入力側電源ラインの入力側電源端子に対する接続を妨げる妨害部材として機能する突出部と、第２壁部の入力側電源ラインの近傍に配置されて第２壁部を貫通して妨害部材を挿入可能な貫通孔とを有する。【選択図】図１
2020095914.tif 000002
【特許請求の範囲】
【請求項１】
電気的に接続された状態で第１方向に沿って複数連結可能な端子台であって、
前記第１方向の一方側に設けられて前記第１方向に交差する第２方向に延びる第１壁部と、前記第１方向の他方側に設けられて前記第２方向に延びる第２壁部とを有するハウジングと、
前記ハウジングの内部で前記第２壁部に沿って配置されて、入力側電源ラインおよび出力側電源ラインの各々をそれぞれ接続可能な入力側電源端子および出力側電源端子と
を備え、
前記ハウジングが、
前記第１壁部から、前記第１方向でかつ前記第２壁部から離れる方向に突出して、前記入力側電源ラインの前記入力側電源端子に対する接続を妨げる妨害部材として機能する突出部と、
前記第２壁部の前記入力側電源端子の近傍に配置されて、前記第２壁部を前記第１方向に貫通して前記妨害部材を挿入可能な貫通孔と
を有する、端子台。
【請求項２】
前記突出部が、
前記入力側電源ラインの前記入力側電源端子に対する接続を妨げると共に、前記出力側電源ラインの前記出力側電源端子に対する接続を妨げる前記妨害部材として機能する、請求項１の端子台。
【請求項３】
前記突出部が、
前記入力側電源ラインの前記入力側電源端子に対する接続を妨げる前記妨害部材として機能する第１突出部材と、
前記出力側電源ラインの前記出力側電源端子に対する接続を妨げる前記妨害部材として機能する第２突出部材とで構成されている、請求項２の端子台。
【請求項４】
前記突出部が、
前記入力側電源ラインの前記入力側電源端子に対する接続、および、前記出力側電源ラインの前記出力側電源端子に対する接続の両方を同時に妨げる前記妨害部材として機能する第３突起部材で構成されている、請求項２の端子台。
【請求項５】
請求項１から４のいずれか１つの端子台が電気的に接続された状態で前記第１方向に沿って複数連結された端子台セットであって、
複数の前記端子台として、第１端子台と、前記第１端子台に隣接する第２端子台とを有し、
前記第１端子台の前記突出部が前記第２端子台の前記貫通孔に挿入されて、前記入力側電源ラインの前記入力側電源端子に対する接続を妨害する、端子台セット。
【請求項６】
前記第１端子台の前記ハウジングが、前記第１壁部の前記第２方向に間隔を空けて配置された一対の圧入突起を有し、
前記第２端子台の前記ハウジングが、前記第２壁部に設けられて前記第２壁部を前記第１方向に貫通する一対の圧入孔を有し、
前記一対の圧入突起の各々は、前記一対の圧入孔の各々に圧入可能に構成され、
前記一対の圧入突起のいずれか一方が、前記突出部を兼ねている、請求項５の端子台セット。
【請求項７】
前記第１端子台の前記ハウジングが、
前記第１壁部の前記第１方向および前記第２方向に交差する第３方向の一方の縁から前記第３方向に沿って延びて、長尺の治具を挿入可能な治具用溝を有する、請求項５または６の端子台セット。
【請求項８】
前記治具用溝が、
前記第２端子台に対向しかつ前記第３方向の一方の縁から他方の縁に向かうに従って前記第２端子台に接近するように傾斜している底面を有している、請求項７の端子台セット。
【発明の詳細な説明】
【技術分野】
【０００１】
本開示は、電気的に接続された状態で複数連結可能な端子台および複数の端子台が電気的に接続された状態で連結された端子台セットに関する。
【背景技術】
【０００２】
特許文献１には、複数の端子台ユニットを連結した端子台が開示されている。
【先行技術文献】
【特許文献】
【０００３】
【特許文献１】特開２０１７−０２７８３６号公報
【発明の概要】
【発明が解決しようとする課題】
【０００４】
前記端子台において、例えば、各端子台ユニットが電気的に接続された状態で、各端子台ユニットのプラス電源端子を誤って渡り線で接続してしまうと、プラスの電源ラインが短絡して、各端子台ユニットの損傷あるいは発火などの不具合が生じるおそれがある。
【０００５】
本開示は、電気的に接続された状態で複数連結した場合に電源ラインの電源端子に対する誤接続を防止できる端子台、および、この端子台が複数連結された端子台セットを提供することを課題とする。
【課題を解決するための手段】
【０００６】
本開示の一例の端子台は、
電気的に接続された状態で第１方向に沿って複数連結可能な端子台であって、
前記第１方向の一方側に設けられて前記第１方向に交差する第２方向に延びる第１壁部と、前記第１方向の他方側に設けられて前記第２方向に延びる第２壁部とを有するハウジングと、
前記ハウジングの内部で前記第２壁部に沿って配置されて、入力側電源ラインおよび出力側電源ラインの各々をそれぞれ接続可能な入力側電源端子および出力側電源端子と
を備え、
前記ハウジングが、
前記第１壁部から、前記第１方向でかつ前記第２壁部から離れる方向に突出して、前記入力側電源ラインの前記入力側電源端子に対する接続を妨げる妨害部材として機能する突出部と、
前記第２壁部の前記入力側電源ラインの近傍に配置されて、前記第２壁部を前記第１方向に貫通して前記妨害部材を挿入可能な貫通孔と
を有する。
【０００７】
また、本開示の一例の端子台セットは、
前記端子台が電気的に接続された状態で前記第１方向に沿って複数連結された端子台セットであって、
複数の前記端子台として、第１端子台と、前記第１端子台に隣接する第２端子台とを有し、
前記第１端子台の前記突出部が前記第２端子台の前記貫通孔に挿入されて、前記入力側電源ラインの前記入力側電源端子に対する接続を妨害する。
【発明の効果】
【０００８】
前記端子台によれば、ハウジングが、第１壁部から第１方向でかつ第２壁部から離れる方向に突出して、入力側電源ラインの入力側電源端子に対する接続を妨げる妨害部材として機能する突出部と、第２壁部の入力側電源ラインの近傍に配置されて、第２壁部を第１方向に貫通して妨害部材を挿入可能な貫通孔とを有している。このような構成により、電気的に接続された状態で複数連結した場合に電源端子への誤接続を防止できる端子台を実現できる。
【０００９】
前記端子台セットによれば、前記端子台により、電源端子への誤接続を防止できる端子台セットを実現できる。
【図面の簡単な説明】
【００１０】
【図１】本開示の一実施形態の端子台セットを示す平面図。
【図２】図１の端子台セットの端子台を示す斜視図。
【図３】図２の突出部周辺の部分拡大図。
【図４】図１の端子台セットの連結部材を示す斜視図。
【図５】図４の連結部材の側面図。
【図６】図２の連結収容部周辺の部分拡大図。
【図７】連結部材を取り外した状態の図６の部分拡大図。
【図８】図２の端子台の第１の変形例を示す斜視図。
【図９】図２の端子台の第２の変形例を示す斜視図。
【発明を実施するための形態】
【００１１】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１２】
本開示の一実施形態の端子台セット１は、図１に示すように、電気的に接続された状態で第１方向Ｘに沿って連結された複数の端子台を有している。この実施形態では、端子台セット１は、複数の端子台として、相互に電気的に接続された第１端子台１１、第２端子台１２および第３端子台１３を有している。
【００１３】
なお、以下、第１方向Ｘに交差（例えば、直交）する方向を第２方向Ｙとし、第１方向Ｘおよび第２方向Ｙに交差（例えば、直交）する方向を第３方向Ｚとする。
【００１４】
各端子台１１、１２、１３は、図２に示すように、絶縁性のハウジング２０と、ハウジング２０の内部に配置された複数の端子３０とを有している。各端子台１１、１２、１３は、一例として、略同一の形状および大きさを有するプッシュイン接続式の端子台である。なお、図２には、第１端子台１１のみを示している。
【００１５】
ハウジング２０は、図２に示すように、略直方体状で、第１方向Ｘの一方側に設けられて第２方向Ｙに延びる第１壁部２１と、第１方向Ｘの他方側に設けられて第２方向Ｙに延びる第２壁部２２とを有している。第１壁部２１および第２壁部２２の各々は、第１方向Ｘから見て、略矩形状を有し、第１方向Ｘに間隔を空けて相互に略平行に配置されている。
【００１６】
第１壁部２１は、第１壁部２１から第１方向Ｘでかつ第２壁部２２から離れる方向に突出する突出部２３を有している。この突出部２３は、略円柱状の突出部材２３１で構成され、第３方向Ｚから見て、後述する入力側電源端子３１を通って第１方向Ｘに延びる仮想直線Ｌ１（図１に示す）の近傍に配置されている。この実施形態では、突出部２３は、第１壁部２１の外面の長手方向の一端（すなわち、図２の上端）に設けられている。第２壁部２２は、入力側電源端子３１の近傍に配置されて、第２壁部２２を第１方向Ｘに貫通する第１貫通孔２４を有している。突出部２３および第１貫通孔２４の各々は、第１方向Ｘに延びる仮想直線Ｌ２（図２に示す）上にそれぞれ配置されている。
【００１７】
各端子３０は、図１および図２に示すように、第２方向Ｙ（すなわち、ハウジング２０の長手方向）の両端部にそれぞれ複数個ずつ設けられている。この実施形態では、ハウジング２０の第２方向Ｙの両端の領域にそれぞれ８つの端子３０が、第１方向Ｘおよび第２方向Ｙに延びる格子状に配置されている。
【００１８】
各端子３０には、入力側電源端子３１および出力側電源端子３２が含まれている。入力側電源端子３１および出力側電源端子３２の各々は、ハウジング２０の第２壁部２２に沿って配置されて、入力側電源ライン２および出力側電源ライン３の各々（共に図１に示す）をそれぞれ接続可能に構成されている。この実施形態では、入力側電源端子３１および出力側電源端子３２の各々は、ハウジング２０の第２方向Ｙの上側の領域の第２壁部２２沿いにそれぞれ配置されている。
【００１９】
図３に示すように、各端子３０は、ハウジング２０の内部に設けられた複数の収容部（図示せず）にそれぞれ独立して収容されている。各収容部は、第３方向Ｚに開口する２つの開口部２５、２６を介してハウジング２０の外部と連通している。一方の開口部２５は、電線の導体部（図示せず）が挿抜可能に構成されている。また、他方の開口部２６は、長尺の治具（例えば、マイナスドライバー）が挿抜可能に構成されている。なお、図３には、第１端子台１１のみを示している。
【００２０】
図１に示すように、第１端子台１１の突出部２３は、第２端子台１２の第１貫通孔２４に挿入され、第３方向Ｚ（すなわち、図１の紙面貫通方向）から見たときに、入力側電源端子３１が収容されている収容部に接続された開口部２５の一部または全部と重なる。その結果、突出部２３は、第２端子台１２の入力側電源ライン２の入力側電源端子３１に対する接続を妨げる妨害部材として機能する。また、第２端子台１２の突出部２３は、第３端子台１３の第１貫通孔２４に挿入されて、第２端子台１２の入力側電源ライン２の入力側電源端子３１に対する接続を妨げる妨害部材として機能する。すなわち、第１貫通孔２４は、妨害部材を挿入可能に構成されている。
【００２１】
また、ハウジング２０は、図２に示すように、第１壁部２１に設けられて突出部２３と第２方向Ｙに間隔を空けて配置された突起２７と、第２壁部２２に設けられて第１貫通孔２４と第２方向Ｙに間隔を空けて配置された第２貫通孔２８とを有している。この実施形態では、突起２７は、第１壁部２１の長手方向の他端（すなわち、図２の下端）に設けられ、第２貫通孔２８は、第２壁部２２の長手方向の他端に設けられている。突起２７および第２貫通孔２８の各々は、第１方向Ｘに延びる仮想直線Ｌ３（図２に示す）上にそれぞれ配置されている。
【００２２】
図１に示すように、第１端子台１１の突起２７は、第２端子台１２の第２貫通孔２８に圧入され、これにより第１端子台１１と第２端子台１２とが連結されている。また、第２端子台１２の突起２７は、第３端子台１３の第２貫通孔２８に圧入され、これにより、第１端子台１１と第２端子台１２とが連結されている。
【００２３】
なお、この実施形態では、突出部２３は、第１貫通孔２４に圧入されるように構成されており、突出部２３と突起２７とで一対の圧入突起を構成し、第１貫通孔２４と第２貫通孔２８とで一対の圧入孔を構成している。すなわち、突出部２３が、圧入突起を兼ねている。
【００２４】
また、ハウジング２０は、図２に示すように、第１壁部２１の第３方向Ｚの一方の縁（すなわち、第１壁部２１におけるハウジング２０の開口部２５、２６が開口している側の縁）から第３方向Ｚに沿って延びる治具用溝２１１を有している。この実施形態では、２つの治具用溝２１１が、第２方向Ｙにおいて突出部２３と突起２７との間でかつ突出部２３および突起２７の近傍にそれぞれ配置されている。
【００２５】
各治具用溝２１１は、図３に示すように、隣接する端子台に対向する底面２１２を有し、長尺の治具（例えば、マイナスドライバー）を挿入可能に構成されている。各治具用溝２１１の底面２１２は、第３方向Ｚの一方の縁から他方の縁に向かうに従って隣接する端子台に接近するように傾斜している。
【００２６】
前記端子台１１、１２、１３によれば、ハウジング２０が、第１壁部２１から第１方向Ｘでかつ第２壁部２２から離れる方向に突出して、入力側電源ライン２の入力側電源端子３１に対する接続を妨げる妨害部材として機能する突出部２３と、第２壁部２２の入力側電源ライン２の近傍に配置されて、第２壁部２２を第１方向Ｘに貫通して妨害部材を挿入可能な貫通孔２４とを有している。このような構成により、例えば、第１端子台１１、第２端子台１２および第３端子台１３を第１方向に沿って連結すると、第１端子台１１の突出部２３により第２端子台１２の入力側電源端子３１に対する入力側電源ライン２の接続が妨げられ、第２端子台１２の突出部２３により第３端子台１３の入力側電源端子３１に対する入力側電源ライン２の接続が妨げられる。その結果、電気的に接続された状態で複数連結した場合に電源端子３１への誤接続を防止できる端子台１１、１２、１３を実現できる。
【００２７】
また、前記端子台セット１によれば、前記端子台１１、１２、１３により、電源端子３１への誤接続を防止できる端子台セット１を実現できる。
【００２８】
また、第１端子台１１のハウジング２０が、第１壁部２１の第２方向Ｙに間隔を空けて配置された一対の圧入突起２３、２７を有し、第２端子台１２のハウジング２０が、第２壁部２２に設けられて第２壁部２２を第１方向Ｘに貫通する一対の圧入孔２４、２８を有し、一対の圧入突起２３、２７の各々は、一対の圧入孔２４、２８の各々に圧入可能に構成され、一対の圧入突起２３、２７のいずれか一方が、突出部２３を兼ねている。このような構成により、端子台セット１の隣接する端子台１１、１２間の連結をより確実に保持することができる。
【００２９】
また、第１端子台１１のハウジング２０が、第１壁部２１の第１方向Ｘおよび第２方向Ｙに交差する第３方向Ｚの一方の縁から第３方向Ｚに沿って延びて、長尺の治具を挿入可能な治具用溝２１１を有している。このような構成により、例えば、端子台セット１の第１端子台１１の各治具用溝２１１に長尺の治具を挿入することで、隣接する端子台１１、１２、１３間（例えば、第１端子台１１と第１端子台１１に隣接する第２端子台１２間との間）の連結を容易に解除できる。
【００３０】
また、治具用溝２１１が、第２端子台１２に対向しかつ第３方向Ｚの一方の縁から他方の縁に向かうに従って第２端子台１２に接近するように傾斜している底面２１２を有している。このような構成により、例えば、長尺の治具を用いて、端子台セット１の隣接する端子台１１、１２、１３間（例えば、第１端子台１１と第１端子台１１に隣接する第２端子台１２との間）の連結をより容易に解除することができる。
【００３１】
さらに、端子台セット１は、図１に示すように、隣接する端子台１１、１２、１３を連結保持するＣ字状の連結部材４０を備えている。この実施形態では、端子台セット１は、４つの連結部材４０を有している。４つの連結部材４０のうちの２つの連結部材４０は、第１端子台１１のハウジング２０の第１壁部２１と第２端子台１２のハウジング２０の第２壁部２２とを第２方向Ｙの両端でそれぞれ挟持している。また、４つの連結部材４０のうちの残り２つの連結部材４０は、第２端子台１２のハウジング２０の第１壁部２１と第３端子台１３のハウジング２０の第２壁部２２とを第２方向Ｙの両端でそれぞれ挟持している。
【００３２】
詳しくは、連結部材４０は、図４および図５に示すように、板面同士が対向するように延びて相互に離れる方向に弾性変形可能な一対の板状の腕部４１と、一対の腕部４１を接続する接続部４２とを有している。各腕部４１は、その延在方向における接続部４２から遠い方の端部に設けられた連結突起４３をそれぞれ有している。
【００３３】
各連結突起４３は、略半円柱状で、相互に接近する方向に突出している。各連結突起４３の一方は、後述する第１端子台１１および第２端子台１２の第１収容孔２１３に収容され、各連結突起４３の他方は、後述する第２端子台１２および第３端子台１３の第２収容孔２１４に収容されている。各連結突起４３が第１収容孔２１３および第２収容孔２１４に収容されることで、連結部材４０の第２方向Ｙへの移動が規制されている。
【００３４】
各端子台１１、１２、１３のハウジング２０は、図３に示すように、連結部材４０の各連結突起４３をそれぞれ収容可能な第１収容孔２１３および第２収容孔２１４と、連結部材４０の各連結突起４３を各収容孔２１３、２１４に案内する第１収容溝２１５および第２収容溝２１６とを有している。
【００３５】
第１収容溝２１５は、第１壁部２１の第２壁部２２に対向する面に設けられ、第１壁部２１の第１方向Ｘに交差する方向の縁から第１収容孔２１３に向かって延びている。この実施形態では、第１収容溝２１５は、第１壁部２１の第２方向Ｙの第１収容孔２１３に近い方の縁に設けられた切欠２１７から第２方向Ｙ沿いを第１収容孔２１３に向かって延びている。第２収容溝２１６は、第２壁部２２の第１壁部２１に対向する面に設けられ、第２壁部２２の第１方向Ｘに交差する方向の縁から第２収容孔２１４に向かって延びている。この実施形態では、第２収容溝２１６は、第２壁部２２の第２方向Ｙの第２収容孔２１４に近い方の縁に設けられた切欠２１８から第２方向Ｙ沿いを第２収容孔２１４に向かって延びている。
【００３６】
第１収容溝２１５には、連結部材４０の一対の腕部４１の一方が収容され、第２収容溝２１６には、連結部材４０の一対の腕部４１の他方が収容されている。これにより、連結部材４０の第３方向Ｚへの移動が規制されている。
【００３７】
また、各端子台１１、１２、１３のハウジング２０は、図２に示すように、連結部材４０を収容する連結収容部５０をそれぞれ有している。この実施形態では、各端子台１１、１２、１３のハウジング２０は、第２方向Ｙに間隔を空けて配置された２つの連結収容部５０をそれぞれ有している。各連結収容部５０は、第３方向Ｚにおけるハウジング２０の開口部２５、２６が開口している側の端部に設けられ、ハウジング２０の第１壁部２１に隣接して配置されている。なお、図２は、第１端子台１１の連結収容部５０に連結部材４０を収容した状態を示している。
【００３８】
詳しくは、連結収容部５０は、図６および図７に示すように、連結部材４０の一対の腕部の各々を収容可能な一対の第１凹部５１と、一対の第１凹部５１の間に配置されて連結部材４０の接続部４２を収容可能な第２凹部５２とを有している。
【００３９】
各第１凹部５１は、略直方体状で、第１方向Ｘおよび第３方向Ｚに延びる略Ｌ字状の開口部５１１を有している。各第１凹部５１の開口部５１１には、第１壁部２１の治具用溝２１１がそれぞれ接続されている。各第１凹部５１の第２方向Ｙに相互に対向する内面には、第１方向Ｘにレール状に延びる溝５３が設けられている。各溝５３は、略半円状を有し、連結部材４０の各腕部４１の連結突起４３を収容可能に構成されている。
【００４０】
第２凹部５２は、連結部材４０の接続部４２を収容する凹部本体５２１と、凹部本体５２１から一対の第１凹部５１の配列方向に交差する方向（すなわち、第２方向Ｙ）に延びる傾斜面５２２とを有している。この実施形態では、第２凹部５２は、凹部本体５２１の第２方向Ｙの両端から相互に離れる方向にそれぞれ延びている２つの傾斜面５２２を有している。
【００４１】
各傾斜面５２２は、凹部本体５２１から離れるに従って凹部本体５２１の底面から離れる方向（すなわち図６および図７における第３方向Ｚの上向き）に傾斜している。各傾斜面５２２により、長尺の治具（例えば、マイナスドライバー）を連結部材４０の接続部４２と凹部本体５２１との間に案内することができるので、連結収容部５０に収容された連結部材４０の取り外しが容易になる。
【００４２】
前記端子台セット１によれば、第１端子台１１のハウジング２０の第１壁部２１と、第２端子台１２のハウジング２０の第２壁部２２とを挟持して連結保持するＣ字状の連結部材４０を備えている。このような構成により、隣接する端子台１１、１２、１３間をより確実に連結保持することができるので、隣接する端子台１１、１２、１３間の連結信頼性を確保できる端子台セット１を実現できる。
【００４３】
また、連結部材４０が、板面同士が対向するように延びて相互に離れる方向に弾性変形可能な一対の板状の腕部４１と、一対の腕部４１を接続する接続部４２とを有している。各腕部４１が、その延在方向における接続部４２から遠い方の端部に設けられ、相互に接近する方向に突出する連結突起４３を有し、第１端子台１１の第１壁部２１および第２端子台１２の第２壁部２２の各々が、各腕部４１の連結突起４３が収容された第１収容孔２１３および第２収容孔２１４をそれぞれ有している。このような構成により、連結部材４０の移動（この実施形態では、第２方向Ｙの移動）を規制して連結部材４０の意図しない脱落を防止することができる。
【００４４】
また、第１端子台１１の第１壁部２１が、第２壁部２２に対向する面に設けられ、第１壁部２１の第１方向Ｘに交差する方向の縁から第１収容孔２１３に向かって延びて、連結部材４０の一対の腕部４１の一方を収容する第１収容溝２１５を有する。第２端子台１２の第２壁部２２が、第１壁部２１に対向する面に設けられ、第２壁部２２の第１方向Ｘに交差する方向の縁から第２収容孔２１４に向かって延びて、連結部材４０の一対の腕部４１の他方を収容する第２収容溝２１６を有する。このような構成により、連結部材４０の移動（この実施形態では、第３方向Ｚの移動）を規制して連結部材４０の意図しない脱落を防止することができる。
【００４５】
また、第１端子台１１のハウジング２０および第２端子台１２のハウジング２０の各々が、連結部材４０を収容する連結収容部５０をそれぞれ有している。このような構成により、例えば、使用しない連結部材４０を連結収容部５０に収容することができるので、連結部材４０の紛失を防止できる。
【００４６】
また、連結収容部５０が、一対の腕部４１の各々を収容可能な一対の第１凹部５１と、一対の第１凹部５１の間に配置されて接続部４２を収容可能な第２凹部５２とを有している。第２凹部５２が、接続部４２を収容する凹部本体５２１と、凹部本体５２１から一対の第１凹部５１の配列方向に交差する方向に沿って延びると共に、凹部本体５２１から離れるに従って凹部本体５２１の底面から離れる方向に傾斜する傾斜面５２２とを有している。このような構成により、例えば、長尺の治具（例えば、マイナスドライバー）を連結部材４０の接続部４２と凹部本体５２１との間に案内することができるので、連結収容部５０に収容された連結部材４０を容易に取り外すことができる。
【００４７】
なお、突出部２３は、１つの略円柱状の突出部材で構成されている場合に限らない。例えば、図８に示すように、２つの略円柱状の突出部材２３１、２３２（すなわち、第１突出部材２３１および第２突出部材２３２）で構成してもよい。その結果、突出部２３は、入力側電源ライン２の入力側電源端子３１に対する接続を妨げると共に、出力側電源ライン３の出力側電源端子３２に対する接続を妨げる妨害部材として機能する。なお、第２突出部材２３２は、出力側電源端子３２を通って第１方向Ｘに延びる仮想直線Ｌ４（図１に示す）の近傍に配置されている。また、第２壁部２２には、第１突起部材２３１に対応する略円形の貫通孔２４１に加えて、第２突起部２３２に対応する略円形の貫通孔２４２が設けられている。このように構成することで、電気的に接続された状態で複数連結した場合に電源端子３１への誤接続をより確実に防止できる端子台１１、１２、１３を実現できる。
【００４８】
各突出部材２３１、２３２は、同じ形状および大きさであってもよいし、異なる形状および大きさであってもよい。また、各突出部材２３１は、略円柱形状に限らず、略角柱状であってもよいし、楕円形状であってもよい。
【００４９】
また、突出部２３は、図９に示すように、入力側電源ライン２の入力側電源端子３１に対する接続、および、出力側電源ライン３の出力側電源端子３２に対する接続の両方を同時に妨げる妨害部材として機能する第３突起部材２３３で構成してもよい。図９には、一例として、略矩形板状の第３突起部材２３３を示している。なお、第３突起部材２３３は、第２方向Ｙの両端部が、それぞれ仮想直線Ｌ１、Ｌ３の近傍に配置されている。また、第２壁部２２には、第３突起部材２３３に対応する略矩形状の貫通孔２４３が設けられている。このように構成することで、電気的に接続された状態で複数連結した場合に電源端子３１への誤接続をより確実に防止できる端子台１１、１２、１３を実現できる。
【００５０】
すなわち、突出部２３は、少なくとも入力側電源ライン２の入力側電源端子３１に対する接続を妨げる妨害部材として機能すればよく、端子台セット１の設計などに応じて、任意の形状、大きさおよび構成を採用することができる。
【００５１】
各端子台１１、１２、１３は、前記実施形態に限らず、第１壁部２１および第２壁部２２を有するハウジング２０と、ハウジング２０の内部に配置された入力側電源端子３１および出力側電源端子３２とを備えていれば、端子台セット１の設計などに応じて、任意に構成することができる。
【００５２】
連結部材４０は、Ｃ字状を有し、端子台（例えば、第１端子台１１）の第１壁部２１と、この端子台に隣接する端子台（例えば、第２端子台１２）の第２壁部２２とを挟持して連結保持可能であればよく、端子台セット１の設計などに応じて、任意に構成することができる。
【００５３】
連結収容部５０は、連結部材４０を収容できればよく、端子台セット１の設計などに応じて、任意に構成することができる。
【００５４】
連結部材４０、連結収容部５０、収容孔２１３、２１４および収容溝２１５、２１６は、省略することができる。
【００５５】
突出部２３は圧入突起を兼ねる必要はなく、別途、圧入突起を設けてもよい。
【００５６】
突起２７（すなわち、圧入突起）、貫通孔２８（すなわち、圧入孔）および治具用溝２１１は、省略することができる。
【００５７】
以上、図面を参照して本開示における種々の実施形態を詳細に説明したが、最後に、本開示の種々の態様について説明する。なお、以下の説明では、一例として、参照符号も添えて記載する。
【００５８】
本開示の第１態様の端子台１１、１２、１３は、
電気的に接続された状態で第１方向Ｘに沿って複数連結可能な端子台１１、１２、１３であって、
前記第１方向Ｘの一方側に設けられて前記第１方向Ｘに交差する第２方向Ｙに延びる第１壁部２１と、前記第１方向Ｘの他方側に設けられて前記第２方向Ｙに延びる第２壁部２２とを有するハウジング２０と、
前記ハウジング２０の内部で前記第２壁部２２に沿って配置されて、入力側電源ライン２および出力側電源ライン３の各々をそれぞれ接続可能な入力側電源端子３１および出力側電源端子３２と
を備え、
前記ハウジング２０が、
前記第１壁部２１から、前記第１方向Ｘでかつ前記第２壁部２２から離れる方向に突出して、前記入力側電源ライン２の前記入力側電源端子３１に対する接続を妨げる妨害部材として機能する突出部２３と、
前記第２壁部２２の前記入力側電源端子３１の近傍に配置されて、前記第２壁部２２を前記第１方向Ｘに貫通して前記妨害部材を挿入可能な貫通孔２４と
を有する。
【００５９】
第１態様の端子台１１、１２、１３によれば、ハウジング２０が、第１壁部２１から第１方向Ｘでかつ第２壁部２２から離れる方向に突出して、入力側電源ライン２の入力側電源端子３１に対する接続を妨げる妨害部材として機能する突出部２３と、第２壁部２２の入力側電源ライン２の近傍に配置されて、第２壁部２２を第１方向Ｘに貫通して妨害部材を挿入可能な貫通孔２４とを有している。このような構成により、電気的に接続された状態で複数連結した場合に電源端子３１への誤接続を防止できる端子台１１、１２、１３を実現できる。
【００６０】
本開示の第２態様の端子台１１、１２、１３は、
前記突出部２３が、
前記入力側電源ライン２の前記入力側電源端子３１に対する接続を妨げると共に、前記出力側電源ライン３の前記出力側電源端子３２に対する接続を妨げる前記妨害部材として機能する。
【００６１】
第２態様の端子台１１、１２、１３によれば、電気的に接続された状態で複数連結した場合に電源端子３１への誤接続をより確実に防止できる端子台１１、１２、１３を実現できる。
【００６２】
本開示の第３態様の端子台１１、１２、１３は、
前記突出部２３が、
前記入力側電源ライン２の前記入力側電源端子３１に対する接続を妨げる前記妨害部材として機能する第１突出部材２３１と、
前記出力側電源ライン３の前記出力側電源端子３２に対する接続を妨げる前記妨害部材として機能する第２突出部材２３２とで構成されている。
【００６３】
第３態様の端子台１１、１２、１３によれば、電気的に接続された状態で複数連結した場合に電源端子３１への誤接続をより確実に防止できる端子台１１、１２、１３を実現できる。
【００６４】
本開示の第４態様の端子台１１、１２、１３は、
前記突出部２３が、
前記入力側電源ライン２の前記入力側電源端子３１に対する接続、および、前記出力側電源ライン３の前記出力側電源端子３２に対する接続の両方を同時に妨げる前記妨害部材として機能する第３突起部材２３３で構成されている。
【００６５】
第４態様の端子台１１、１２、１３によれば、電気的に接続された状態で複数連結した場合に電源端子３１への誤接続をより確実に防止できる端子台１１、１２、１３を実現できる。
【００６６】
本開示の第５態様の端子台セット１は、
前記態様の端子台１１、１２、１３が電気的に接続された状態で前記第１方向Ｘに沿って複数連結された端子台セット１であって、
複数の前記端子台１１、１２、１３として、第１端子台１１と、前記第１端子台１１に隣接する第２端子台１２とを有し、
前記第１端子台１１の前記突出部２３が前記第２端子台１２の前記貫通孔２４に挿入されて、前記入力側電源ライン２の前記入力側電源端子３１に対する接続を妨害する。
【００６７】
第５態様の端子台セット１によれば、端子台１１、１２、１３により、電源端子３１への誤接続を防止できる端子台セット１を実現できる。
【００６８】
本開示の第６態様の端子台セット１は、
前記第１端子台１１の前記ハウジング２０が、前記第１壁部２１の前記第２方向Ｙに間隔を空けて配置された一対の圧入突起２３、２７を有し、
前記第２端子台１２の前記ハウジング２０が、前記第２壁部２２に設けられて前記第２壁部２２を前記第１方向Ｘに貫通する一対の圧入孔２４、２８を有し、
前記一対の圧入突起２３、２７の各々は、前記一対の圧入孔２４、２８の各々に圧入可能に構成され、
前記一対の圧入突起２３、２７のいずれか一方が、前記突出部２３を兼ねている。
【００６９】
第６態様の端子台セット１によれば、端子台セット１の隣接する端子台１１、１２、
１３間の連結をより確実に保持することができる。
【００７０】
本開示の第７態様の端子台セット１は、
前記第１端子台１１の前記ハウジング２０が、
前記第１壁部２１の前記第１方向Ｘおよび前記第２方向Ｙに交差する第３方向Ｚの一方の縁から前記第３方向Ｚに沿って延びて、長尺の治具を挿入可能な治具用溝２１１を有する。
【００７１】
第７態様の端子台セット１によれば、例えば、端子台セット１の第１端子台１１の各治具用溝２１１に長尺の治具を挿入することで、隣接する端子台１１、１２、１３間の連結を容易に解除できる。
【００７２】
本開示の第８態様の端子台セット１は、
前記治具用溝２１１が、
前記第２端子台１２に対向しかつ前記第３方向Ｚの一方の縁から他方の縁に向かうに従って前記第２端子台１２に接近するように傾斜している底面２１２を有している。
【００７３】
第８態様の端子台セット１によれば、例えば、長尺の治具を用いて、端子台セット１の隣接する端子台１１、１２、１３間（例えば、第１端子台１１と第１端子台１１に隣接する第２端子台１２との間）の連結をより容易に解除することができる。
【００７４】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００７５】
本開示の端子台および端子台セットは、例えば、制御盤の温度調節器に用いることができる。
【符号の説明】
【００７６】
１  端子台セット
２  入力側電源ライン
３  出力側電源ライン
１１、１２、１３  端子台
２０  ハウジング
２１  第１壁部
２１１  治具用溝
２１２  底面
２１３、２１４  収容孔
２１５、２１６  収容溝
２１７、２１８  切欠
２２  第２壁部
２３  突出部
２３１、２３２、２３３  突出部材
２４、２４１、２４２、２４３  貫通孔
２５、２６  開口部
２７  突起
２８  貫通孔
３０  端子
３１  入力側電源端子
３２  出力側電源端子
４０  連結部材
４１  腕部
４２  接続部
４３  連結突起
５０  連結収容部
５１  第１凹部
５１１  開口部
５２  第２凹部
５２１  凹部本体
５２２  傾斜面
Ｘ  第１方向
Ｙ  第２方向
Ｚ  第３方向
Ｌ１〜Ｌ４  仮想直線
【図１】
2020095914.tif 000003
【図２】
2020095914.tif 000004
【図３】
2020095914.tif 000005
【図４】
2020095914.tif 000006
【図５】
2020095914.tif 000007
【図６】
2020095914.tif 000008
【図７】
2020095914.tif 000009
【図８】
2020095914.tif 000010
【図９】
2020095914.tif 000011